【手続補正書】
【提出日】平成20年1月10日(2008.1.10)
【手続補正１】
【補正対象書類名】明細書
【補正対象項目名】特許請求の範囲
【補正方法】変更
【補正の内容】
【特許請求の範囲】
【請求項１】
補助データを媒体信号に関連づける方法であって、前記方法は：
ステガノグラフィックリンクのデータベースおよびステガノグラフィックリンクに関連づけられたメタデータ・データベースを維持するステップと；
アプリケーション要求から、媒体信号から抜き出されたステガノグラフィックリンクを受信するステップであって、リンクが媒体信号に関する補助データを参照している、前記ステップと；
ステガノグラフィックリンクを用いて、媒体信号に関連づけられた補助データを格納するメタデータ・データベースを見つけるステップと；
ステガノグラフィックリンクを媒体信号に関連づけられた補助データを格納するメタデータ・データベースに転送するステップと、
を備える方法。
【請求項２】
請求項１記載の方法を実行するソフトウェアを有するコンピュータ可読媒体。
【請求項３】
補助データを媒体信号に関連づける方法であって、前記方法は：
媒体信号に関連づけられた補助データ項目のデータベースを維持するステップであって、各項目は、媒体信号にステガノグラフィカルにコード化されるリファレンスを介して媒体信号に関連づけられている、前記ステップと；
アプリケーション要求から、媒体信号に関連づけられた補助データに対する要求を受信するステップであって、要求が媒体信号から抜き出されたリファレンスを含む、前記ステップと；
リファレンスを用いて、データベースで媒体信号に関連づけられた補助データを見つけるステップと；
リファレンスに対応する補助データをアプリケーション要求に返信するステップと、
を備える方法。
【請求項４】
アプリケーション要求が要求された補助データに対してアクセス権を有するかどうかを判断するステップを含む、請求項３記載の方法。
【請求項５】
アプリケーション要求が要求された補助データに対して編集権を有するかどうかを判断するステップを含む、請求項３記載の方法。
【請求項６】
請求項３記載の方法を実行するソフトウェアを有するコンピュータ可読媒体。
【請求項７】
補助データを媒体信号に関連づける方法であって、前記方法は：
媒体信号において補助データへのステガノグラフィック・リファレンスを抜き出すステップと；
抜き出されたリファレンスを用いて媒体信号に関連づけられた補助データを要求するのにメタデータ・データベースに照会し、メタデータ・データベースの補助データにアクセスするステップと；
データベースから補助データを受信するステップと、
を備える方法。
【請求項８】
媒体信号および補助データを含む媒体信号ファイルが作成されるよう、データベースから受信した補助データを用いるステップを含む、請求項７記載の方法。
【請求項９】
媒体信号に関連づけられた補助データへのアクセスを要求するのに認証データをメタデータ・データベースに送信するステップを含む、請求項７記載の方法。
【請求項１０】
媒体信号に関連づけられた補助データを編集するのに要求をメタデータ・データベースに送信するステップを含む、請求項７記載の方法。
【請求項１１】
請求項７記載の方法を実行するソフトウェアを有するコンピュータ可読媒体。
【請求項１２】
電子データ検索方法であって、前記方法は：
第１の媒体信号から透かしをデコードするステップと；
透かしを用いて、ネットワークを介してアクセス可能なメタデータ・データベースに格納された第１の媒体信号に関するメタデータにアクセスするステップであって、メタデータ・データベースが他の媒体信号のメタデータを有する、前記ステップと；
メタデータを用いて、他の媒体信号に関連するメタデータのデータベースを検索するステップと、
を備える方法。
【請求項１３】
データベースは、ネットワーク上の２つ以上の異なるコンピュータの別個のメタデータ・データベースに分散される、請求項１２記載の方法。
【請求項１４】
透かしからの情報がメタデータルーターに送信され、次に、情報要求を、透かし情報に関連づけられた対応するメタデータ・データベースに送信する、請求項１３記載の方法。
【請求項１５】
検索用の検索リクエストがメタデータルーターに送信され、次に、検索リクエストを二つ以上の異なるメタデータ・データベースに配信する、請求項１３記載の方法。
【請求項１６】
検索で見つけられた関連メタデータが検索リクエストを作成したデバイスに返信される、請求項１２記載の方法。
【請求項１７】
透かしからメタデータルーターへ情報を送信するステップと；
検索用の検索リクエストをルーターから一つ以上の異なるメタデータ・データベースに配信するステップと、
を含み、
関連したメタデータが二つ以上の異なるメタデータ・データベースから返信される、請求項１６記載の方法。
【請求項１８】
検索リクエストを作成したデバイスはまた、透かしをデコードしたデバイスでもある、請求項１７記載の方法。
【請求項１９】
媒体信号を取り込むレコーダと；
補助データを媒体信号にコード化するステガノグラフィック・エンコーダと、
を含む、媒体信号取込みデバイス。
【請求項２０】
補助データが媒体信号の属性を記述する、請求項１９記載の媒体信号取込みデバイス。
【請求項２１】
補助データは、媒体信号の外部に格納される補助データへのリファレンスを含む、請求項１９記載の媒体信号取込みデバイス。
【請求項２２】
補助データが媒体信号を認証する認証データを含む、請求項１９記載の媒体信号取込みデバイス。
【請求項２３】
認証データは媒体信号から派生している、請求項２２記載の媒体信号取込みデバイス。
【請求項２４】
外部デバイスから補助データを受信するインタフェースを含む、請求項１９記載の媒体信号取込みデバイス。
【請求項２５】
媒体信号に関連づけられるよう補助データのタイプを指定する操作用パラメータを受信するインタフェースを含む、請求項１９記載の媒体信号取込みデバイス。
【請求項２６】
セッション中に媒体信号取込みデバイスのオペレーションを左右するセッションパラメータを受信するインタフェースを含む、請求項１９記載の媒体信号取込みデバイス。
【請求項２７】
セッションパラメータのうちの少なくとも1つは、セッション中にユーザがデバイスセッティングを変更できないようにするよう媒体信号取込みデバイスに指示する、請求項２６記載の媒体信号取込みデバイス。
【請求項２８】
セッションパラメータが、セッション中にデバイス内に取り込まれた媒体信号に関連づけられるよう補助データを指定する、請求項２６記載の媒体信号取込みデバイス。
【請求項２９】
レコーダが単数／複数の画像を取り込むイメージセンサを備え、媒体信号が画像信号を備える、請求項１９記載の媒体信号取込みデバイス。
【請求項３０】
レコーダが音声信号を取り込む音声レコーダを備え、媒体信号が音声信号を備える、請求項１９記載の媒体信号取込みデバイス。
【請求項３１】
媒体信号を取り込むレコーダと；
補助データを媒体信号に関連づける処理ユニットと；
セッション中に媒体信号取込みデバイスのオペレーションを左右するセッションパラメータを受信するインタフェースと、を含む、媒体信号取込みデバイス。
【請求項３２】
セッションパラメータが、セッション中にレコーダによって取り込まれた媒体信号に関連づけられるよう補助データを指定する、請求項３１記載の媒体信号取込みデバイス。
【請求項３３】
セッションパラメータのうちの少なくとも1つは、セッション中にユーザがデバイスセッティングを変更できないようにするよう媒体信号取込みデバイスに指示する、請求項３１記載の媒体信号取込みデバイス。
【請求項３４】
セッション識別子が、媒体信号またはセッションで媒体信号に関連づけられたメタデータにステガノグラフィカルにコード化される、請求項３１記載の媒体信号取込みデバイス。
【請求項３５】
レコーダが単数／複数の画像を取り込むイメージセンサを備え、媒体信号が画像信号を備える、請求項３１記載の媒体信号取込みデバイス。
【請求項３６】
レコーダが音声信号を取り込む音声レコーダを備え、媒体信号が音声信号を備える、請求項３１記載の媒体信号取込みデバイス。
【請求項３７】
媒体信号処理システムで補助データを媒体信号に関連づける方法において、
システムが、媒体信号レコーダと、コンピュータと、レコーダとコンピュータ間で通信するインタフェースとを含み、改善点は、コンピュータへの転送の際に媒体信号データを電子透かしデータで自動的にステガノグラフィカルにコード化するステップを備える、前記方法。
【請求項３８】
レコーダのメタデータをレコーダに取り込まれた媒体信号に関連づけるステップと、媒体信号で前記メタデータをコンピュータに転送するステップと、コンピュータ内の前記メタデータを電子透かしに関連づけるステップとを含む、請求項３７記載の方法。
【請求項３９】
電子透かしデータが後に続く媒体信号の変更を検出可能にする、請求項３７記載の方法。
【請求項４０】
コード化がコンピュータによって実行される、請求項３７記載の方法。
【請求項４１】
媒体信号取込みシステムを作動する方法であって、
システムが、媒体信号取込みデバイスと、ユーザインタフェースを有する別個のコンピュータとを含み、
方法が、媒体信号取込みデバイスによって取り込まれた媒体信号にステガノグラフィカルにコード化される少なくとも一つのデータ項目を、前記コンピュータから媒体信号取込みデバイスに提供するステップを含み、
コンピュータのユーザインタフェースは、データ項目を指定するのに利用される、前記方法。
【請求項４２】
コンピュータから媒体信号取込みデバイスにステガノグラフィックリンクを提供するステップを含む、請求項４１記載の方法。
【請求項４３】
媒体信号上の媒体信号処理トランザクションのトランザクション履歴を維持する方法であって、前記方法は：
ネットワークデバイスに格納される媒体信号のトランザクション履歴を維持するステップと；
ネットワークデバイスに格納される媒体信号を処理することへのトランザクション要求を受信することに応じて、トランザクションに関するデータをトランザクション履歴に加えることによって媒体信号のトランザクション履歴を更新するステップと、
を備える方法。
【請求項４４】
媒体信号とトランザクション履歴間のリンクを通して、トランザクション履歴を媒体信号に関連づけるステップを含む、請求項４３記載の方法。
【請求項４５】
リンクが、媒体信号に埋め込まれるステガノグラフィックリンクである、請求項４４記載の方法。
【請求項４６】
媒体信号のメタデータを処理する方法であって、前記方法は：
メタデータをステガノグラフィカルに媒体信号に埋め込むステップを備える方法。
【請求項４７】
媒体信号のメタデータが暗号化される、請求項４６記載の方法。
【請求項４８】
媒体信号のメタデータが圧縮される、請求項４６記載の方法。
【請求項４９】
媒体信号のメタデータが媒体信号の外部に格納されるメタデータのメタデータダイジェストを含む、請求項４６記載の方法。
【請求項５０】
媒体信号のメタデータがコンテンツシグニチャーを含む、請求項４６記載の方法。
【請求項５１】
媒体信号のメタデータがメタデータシグニチャーを含む、請求項４６記載の方法。
【請求項５２】
媒体信号のメタデータがタイムスタンプを含む、請求項４６記載の方法。
【請求項５３】
媒体信号のメタデータがロケーションスタンプを含む、請求項４６記載の方法。
【請求項５４】
媒体信号の外部に媒体信号のメタデータを格納するステップを含み；
媒体信号のメタデータおよび外部に格納されるメタデータは、メタデータの有効性が比較によって評価できる方法に関係している、請求項４６記載の方法。
【請求項５５】
メタデータが外部データベースに格納されるメタデータへのリンクを含む、請求項４６記載の方法。
【請求項５６】
外部データベースに格納されるメタデータは、外部データベースのメタデータに格納される媒体信号の属性に基づいた媒体信号を見つけるのに検索可能である、請求項５５記載の方法。